(57)【特許請求の範囲】
【請求項１】
基本構造体（４）又は複数並置した基本構造体より構成される３次元の金属材又は合成材の枠組み（３）によって定められる少なくとも屋根を形成する部分を可撓性カバーにした建造物であって、その基本構造体の各々は、横桁（８）によって結合された少なくとも２つの平行な長手方向の桁（５，６）を含んでいて、その桁から斜めの桁（９，９Ａ，９Ｂ，９Ｃ）が延びて、場合によっては、その頂部（Ｓ）により完全に作られる少なくとも２つの大梁（Ｆ１，Ｆ２）を定め、かつモジュール（Ｍ１）又は一様１つ或いは一連のピラミッド形のモジュール（Ｍ，Ｍ１，Ｍ２，Ｍ３）を形成しており、その内部が、対の曲率をもつ型の少なくとも１つの可撓性カバー（７）で張られているこれらの基本構造体（４）の各々によって境界が定められている建造物において、
−基本構造体（４）の両方の平行な長手方向の桁（５，６）が、前記基本構造体の高さで張られるのをねらって、対の曲率をもつ可撓性カバー（７）の２つの長手方向の縁部（１３，１４）のために与えられている保持帯材（１２）を受け入れるための少なくとも通し溝（１１Ａ，１１Ｂ）を含んでいる輪郭材（１０）によって、各々規定されていることと、
−そのような輪郭材（１０）に、固定のために、斜めの桁（９，９Ａ，９Ｂ，９Ｃ）及び／又は横桁（８）の端部（１６，１６Ａ）を受け入れる手段（１５）が設けられていること、
を特徴とする建造物。
【請求項２】
長手方向の桁（５，６）を定めるのをねらった輪郭材（１０）が、垂直対称平面（１７）に対して対称的に形成され、かつ２つの並置された基本構造体（４）に対応している、対の曲率をもつ可撓性カバー（７）のそれぞれの長手方向の縁部（１３，１４）で与えられた保持帯材（１２）を受け入れるための２つの通し溝（１１Ａ，１１Ｂ）を含んでいることを特徴とする請求項１に記載の建造物。
【請求項３】
長手方向の桁（５，６）を形成することをねらった輪郭材（１０）が、並置された基本構造体（４）の内張りの粗い布に対応する保持帯材を受け入れる溝（１１Ａ，１１Ｂ）よりも実質的に低い高さで配置された第２の組の溝（２０Ａ，２０Ｂ）を含んでいることを特徴とする請求項２に記載の建造物。
【請求項４】
斜めの桁（９，９Ａ，９Ｂ，９Ｃ）及び／又は横桁（８）の端部（１６；１６Ａ）を受け入れるための手段（１５）が、前記輪郭材（１０）上で、即ち等しい長さ、挿入されるラグ（３０，３０Ａ）の形をしていることを特徴とする請求項１〜３のいずれか１項に記載の建造物。
【請求項５】
該ラグが、斜めの桁（９，９Ａ，９Ｂ，９Ｃ）及び／又は横桁（８）に与えられた方向に適用された傾斜角（１８）に従って、輪郭材（１０）から延びていることを特徴とする請求項４に記載の建造物。
【請求項６】
該ラグ（３０，３０Ａ）が、連結部分（３１）上を、即ち溶接によって及び生成ラインに沿って挿入されており、この連結部分は、円筒型の輪郭材（１０）の内断面（３３）に調整された外断面（３２）をもち、そのような連結部分（３１）に挿入される端部（３４Ａ，３４Ｂ）で、１つ又は複数の輪郭材長（１０Ａ，１０Ｂ）によって定められていることを特徴とする請求項４又は５に記載の建造物。
【請求項７】
輪郭材長（１０Ａ，１０Ｂ）の端部（３４Ａ，３４Ｂ）が、ラグ（３０，３０Ａ）を通すため、及び２つの輪郭材長（１０Ａ，１０Ｂ）の連結の高さでの連続性を保証するために、軸方向に切れ目が設けられていることを特徴とする請求項６に記載の建造物。
【請求項８】
斜めの桁（９，９Ａ，９Ｂ，９Ｃ）及び／又は横桁（８）の端部（１６；１６Ａ）を受け入れるための手段（１５）が、輪郭材（１０）の周囲で半径方向に延びている、１つ又は複数の翼部（１９；１９Ａ）及び／又は翼長の形をしていることを特徴とする請求項１〜３のいずれか１項に記載の建造物。
【請求項９】
場合によっては、斜めの桁（９，９Ａ，９Ｂ，９Ｃ）又は横桁（８）の端部（１６；１６Ａ）を受け入れるための手段（１５）が、輪郭材（１０）のまわり垂直対称平面（１７）に対して、対称的な形状を採用していることを特徴とする請求項２又は４〜８のいずれか１項に記載の建造物。
【請求項１０】
長手方向の桁（５，６）を定めている輪郭材（１０）が、円筒型であり、その内部部分が、対の曲率をもつカバー（７）から来る流動水を集め、排出可能な樋を形成することができることを特徴とする請求項１〜９のいずれか１項に記載の建造物。
【請求項１１】
長手方向の桁（５，６）を形成することをねらった輪郭材（１０）に、直接に又は連結ラグ（２１Ａ，２１Ｂ）を通して、１組の溝（２２Ａ，２２Ｂ）が設けられ、この溝が、そのような輪郭材（１０）の下での樋の形で延在することが可能な防水の粗い布（２３）の保持帯材を受け入れることを特徴とする請求項１〜９のいずれか１項に記載の建造物。
【請求項１２】
基本構造体（４）が、輪郭材（１０′）によって定められ、固定のために斜めの桁（９，９Ａ，９Ｂ，９Ｃ）及び／又は横桁（８Ａ）を受け入れるための手段（１５）を含んでいる少なくとも第３の長手方向の桁（２５）を含んでおり、そのような長手方向の桁（２５）が、斜めの桁（９，９Ａ，９Ｂ，９Ｃ）によって定められた複数の大梁（Ｆ１，Ｆ２）、又は１つ及び同様の基本構造体（４）或いは複数並置された基本構造体（４）に対応している複数のモジュール（Ｍ′，Ｍ，Ｍ１，Ｍ２，Ｍ３）のいずれかの頂部（Ｓ；２４）で互いに結合していることを特徴とする請求項１〜１１のいずれか１項に記載の建造物。
【請求項１３】
長手方向の桁（２５）を定めている輪郭材（１０′）が、対の曲率をもつ可撓性カバー（７）の上を拡げられる粗い布、即ち網、に対応する保持帯材を受け入れる１つ又は複数の溝を含んでいることを特徴とする請求項１２に記載の建造物。
【請求項１４】
長手方向の桁（２５）を定めている輪郭材（１０′）が、その低い部分（３６）で、対の曲率をもつカバー（７）を緊張可能な１つ又は複数のケーブル（３８）を固定することができる１つ又は複数の摺動体を受け入れるためのレール（３７）の形に形成されていることを特徴とする請求項１２又は１３に記載の建造物。
【発明の詳細な説明】
【０００１】
【発明の属する技術分野】
本発明は、少なくとも屋根を形成する部分が可撓性カバーである建造物に関し、この屋根が、基本構造体又はこれらの基本構造体のいくつかを並置した構造より構成される３次元の鉄材又は合成材の枠組みによって形成されており、その各々は、横桁によって結合された２つの平行な長手方向の桁を含んでいて、場合によっては、そこから斜めの桁を延ばして、その頂部又は１つ又は一連のピラミッド形のモジュールによって完全に形成された２つ又はそれ以上の大梁を定めており、その内部空間が、対の曲率をもつ型の少なくとも１つの可撓性カバーであると思われるような基本構造体によって境界が定められている建造物に関する。
【０００２】
【従来の技術】
上述の建造物は、既に公知である。事実、この種の建造物は、少なくとも屋根を形成する部分に関しては、３次元の枠組みを定めている輪郭材の組立て体より形成された金属枠を使用し、その内部は、通常は対の曲率をもつ型の可撓性材料で作られた１つ又は数個のカバー要素で張られている。
【０００３】
実際にこれまでそのような３次元の金属枠組みは、連結節により互いに結合されている基本的な大きさの金属の輪郭材を用いており、これにより、しばしばピラミッド形の基本モジュール（例えば独国特許第１１７０６０４０号（ＤＥ１１７０６０４０）に記載のように）を定めている。こうして、これらの基本モジュールのいくつかは、互いに協力し、また上述の節によっても協力し、最終的にその建造物に適した屋根の大きさに達する。加えて、これらのしばしばピラミッド形である基本モジュールは、それらの頂部で互いに結合される。
【０００４】
更に詳しくは、基本モジュールは、２つの平行な長手方向の桁を含んでおり、そのうえこれらは互いに横桁により結合されている。これらに関し、長手方向の桁が、ピラミッド形をも定めている斜めの桁を延ばしており、これらの斜めの桁は、１つ及び同じ節のレベルで互いに連結するか、又は２つもしくはそれ以上の大梁が、それらの頂部で結合されている。
【０００５】
これらのモジュールのいくつかは、列を形成するように並置されており、それは以下の記載では基本構造体として定められていることは、明らかであり、ここではまたこれらの基本構造体のいくつかが、要求されている建造物の大きさに達するように、互いに連結されている。
【０００６】
今日では、屋根として３次元の金属材の枠組みを含んでいるこの種の建造物がもっている問題は、設置時間が特に長く、そのような枠組みの高さで、可撓性材料から作られ、対の曲率をもつカバー要素を張るために、普通に用いられているひもを締める技術は、更に多くの時間がかかる。実際問題として、これらのカバー要素の張設は、連結節の高さで最もよく起きる。
【０００７】
この発明を基にして、これらの特別な建造物は、特に設置と解体の作業が特に費用がかかるために、決して一時的な使用に適してないことは、明らかである。それ故、それらが特に魅力的な美的外観を有しているが、対の曲率をもち、張られた粗い布をもつ３次元の枠組みのこれらの建造物が、永久的な使用の建物の建造物にのみ有用であるのに対し、一時的な使用に適用するには、もっと古典的な建造物を用いる以外に解決策がない。
【０００８】
場合によって、これらは、屋根を形成するために、例えば中国風の形をした、対の曲率をもつ１つ又はいくつかのカバーを、内部から張設するのを受け入れる実質的に平坦な枠組みを使用している。この点で、このために用意されたマストを固定させる横静索（シュラウド）により、建物の外側から対の曲率をもつこれらの粗い布を張設することもまた公知である。
【０００９】
実際問題として、コーニス又はそのようなものの建造物に、更に普通に用いており、その建造物は、互いに等距離に結合された一連の支持枠（ガントリー）であって、２つの連続した支持枠の間で可撓性材料から作られたカバー要素を受け入れるための溝をもつ輪郭材の組立て体から形成され、その長手方向の端部が保持帯材を予め提供されている支持枠より構成されている。
【００１０】
一時的な使用のために、建物の建造に用いられる両方の上述の解決策は、それらのモジュール化の問題を起こしている。こうして、この最後に述べた型の建造物は、設置時間が減少するので、更に広く拡がっているが、意図された使用にその形状又はその大きさを厳密に適用するのは困難であり、又は保持される位置にさえ、その形状又は大きさを厳密に適用するのは困難である。賃貸のためにこの種の建造物を提供する会社は、ほんのわずかな数の異なる大きさの支持枠のみを有している。加えて、そのような賃貸会社は、客の大量の要求に応じたい場合は、最も使用される建造物に対応する、例えば構造物及びカバー要素だけでなく、客によって例外的に要求される更に特別な大きさの建造物を作るためにもまた、これらを貯蔵しておかなくてはならない。それ故、これが、特別な大きさの建造物のために、これらの要素の貯蔵の回転の問題及び利益の問題を起こしている。
【００１１】
【発明が解決しようとする課題】
結局、本発明の目的は、例えば屋根を形成する部分に、３次元型の枠組みだけでなく、その組立て体をも含んでいる建造物を作ることであって、この組立て体は、しばしば非常に高価な連結節を必要としないので容易であり、加えて、この枠組みの高さで張られるための対の曲率をもつカバー要素を、非常に容易にかつ短い設置時間で受け入れることができる。
同時に、本発明は、一時的な使用のための建造物のモジュール化の問題の解決策を提供することを目的としている。
【００１２】
【課題を解決するための手段】
この目的のために、本発明は、基本構造体又はこれらの基本構造体のいくつかを並置した構造体により構成された３次元の金属材又は合成材の枠組みによって定められている、少なくとも屋根を形成する部分が可撓性カバーである建造物に関し、その枠組みの各々が、横桁（クロスビーム）により結合された少なくとも２つの長手方向の桁（ビーム）を含んでおり、場合によっては、そこから斜めの桁が延びていて、それらの頂部又は一様な１つ又は一連のピラミッド形のモジュールによって、完全に作られた２つ又はそれ以上の大梁（ガーダー）を定めており、その内部空間が、対の曲率をもつ少なくとも１つの可撓性カバーの型であるとされているような基本構造体によって境界を定められている建造物であって、−基本構造体の両者の平行な長手方向の桁が、前記基本構造体の高さで張られるのを目的とした対の曲率をもつ可撓性カバーの２つの長手方向の端部で、提供された保持帯材を受け入れるための少なくとも通し溝を含んでいる輪郭材によって、それぞれ定められていること、
−かつそのような輪郭材に、斜めの桁及び／又は横桁の端部をそれらの固定のために受け入れる手段が設けられていること、
を特徴としている。
【００１３】
本発明の特徴によれば、基本構造体は、先行する桁に平行な３つの長手方向の桁を含んでおり、場合によっては、これは、斜めの桁によって定められた大梁又はピラミッド形のモジュールの頂部を結合している。
【００１４】
有利には、それらの固定のために、長手方向の桁を定めている輪郭材の高さで、斜めの桁及び／又は横桁を受け入れる手段は、前記輪郭材に挿入されたラグの形をしているか、又は取り付けられたか又は共に突出している連続又は不連続の翼部の形をしている。
更にそのような輪郭材は、好ましくはアルミ合金から作られ、また合成材料から作られてもよい。
【００１５】
本発明の利点は、輪郭材が基本構造体に一致している長手方向の桁を形成することを目的としているが、３次元の金属枠組みを作るのに普通に用いられている連結節を省略することが出来ることにある。加えて、溝付の輪郭材の形をしたこれらの長手方向の桁が、摺動によって可撓性カバーの保持帯材を、かなり楽にされる場所に置くことを、受け入れることができる。
【００１６】
最後に、この発明により、３次元の金属材又は合成材の枠組みが提供される一方で、一時的に使用しようとする場合にかなり利点となる、特に短時間での設置と解体が行える建造物を得ることである。
【００１７】
最後に、本発明によるこの種の建造物は、賃貸会社に部材の貯蔵をできるだけ効果的にする可能性を提供している。いくつかの基本構造体の単なる並置によって、全ての望ましい建物の長さと幅の両者の大きさを最終的に得ることが、本当に可能である。結果として、このことが、それらの部材の貯蔵の回転を保証している。
【００１８】
本発明の更なる目的と利点は、単に説示として示しているのであって、これに限定されるものではない実施の形態に関連した以下の説明により、一層明白になるであろう。
この説明は、添付図面を参照すると更に容易に理解できるであろう。
【００１９】
【発明の実施の形態】
図１に示されるように、本発明は、一種の三次元の金属材又は合成材の枠組みによって定められている少なくとも屋根２を形成する部分のある建造物１に関する。実際問題として、この枠組みは、基本構造体４又は図１に示されるようにこれらの枠組みのいくつかを並置した構造体から形成されている。
【００２０】
特に図２〜４に示されるように、そのような基本構造体４は、少なくとも２つの平行な長手方向の桁（ビーム）５，６を含んでいて、その間に対の曲率をもつ１つ又は複数のカバーが最終的に広げられており、これらの長手方向の桁５，６は、更に横桁（クロスビーム）８により互いに結合されている。加えて、これらの長手方向の桁５，６から斜めの桁９，９Ａ，９Ｂ，９Ｃが延びていて、図４に示される形状では、モジュールＭ′を形成するために、それらの頂部Ｓによって全体に作られる少なくとも２つの大梁（ガーダー）Ｆ１，Ｆ２を定めている。実際問題として、そのような斜めの桁９，９Ａ，９Ｂ，９Ｃは、添付図面の図１〜３に示されるように、通常は、１つ又は一連のピラミッド形のモジュールＭ，Ｍ１，Ｍ２，Ｍ３を定めている。
【００２１】
本発明の特徴によれば、長手方向の両方の桁５，６は、図５と６に断面図で様々の実施の形態が示されている輪郭材１０によって、各々区画形成されている。このようにそのような輪郭材１０は、保持帯材１２（点線によって示されている）を受け入れる少なくとも１つの通し溝１１Ａ，１１Ｂを含んでおり、この保持帯材は、この基本構造体４を張るための対の曲率７をもつ可撓性カバーの長手方向の両縁部１３，１４に提供されている。
加えて、長手方向の桁５，６を形成しているそのような輪郭材１０は、有利には、それらの固定のために、斜めの桁９，９Ａ，９Ｂ，９Ｃ及び／又は横桁８の端部１６，１６Ａを受け入れる手段１５が設けられている。
【００２２】
好ましい実施の形態によれば、２つの並置された基本構造体４は、対の曲率をもつそれぞれのカバーの長手方向の縁部１３，１４の１つを固定するために、１つ及び同様の長手方向の桁を共同で使用している。そのような状況のもとでは、そのような長手方向の桁が、並置された基本構造体の各々の長手方向の桁５，６を結合している横桁８と同様に、並置された基本構造体の各々に対応している斜めの桁を受け入れるようにも、加えて製作されていることが便利である。
【００２３】
結局、そのような輪郭材１０は、有利には垂直対称平面１７に対して対称に形成され、従って、保持帯材１２を受け入れるための２つの通し溝１１Ａ，１１Ｂを含んでいて、その保持帯材は、実際問題として、２つの並置された基本構造体４に対応している対の曲率をもつカバーの長手方向の縁部１３，１４にそれぞれ提供されている。
【００２４】
斜めの桁９，９Ａ，９Ｂ，９Ｃの端部１６又は横桁８に対応している端部１６Ａを受け入れる手段１５に関しては、それらは、図６と７に示されるように、すなわち、前記輪郭材１０に等しい長さで挿入される、ラグ３０，３０Ａの形をしている。そのようなラグ３０，３０Ａは、斜めの桁９，９Ａ，９Ｂ，９Ｃ又は横桁８に与えなければならない方向に適した傾斜角１８に従って、この輪郭材１０から明らかに延びている。
【００２５】
そのようなラグ３０，３０Ａは、輪郭材１０に、例えば溶接か、接着か又は螺着によって、直接に固着される。しかしながら、溶接は、即ち輪郭材が金属の型である場合には、前記輪郭材の機械的な特性を変えがちである。そのうえ、螺着のような機械的な結合は、この輪郭材のレベルで、良好な結合を保証するのに十分な壁厚を必要とする。
【００２６】
そのうえ円筒型で区画形成されている輪郭材の内断面に適合された外断面をもつ連結部分３１を通るラグ３０，３０Ａをもつ輪郭材１０を提供することによりなる解決策を工夫した理由が、これである。好ましくは金属の型、即ち鋼より作られたそのような連結部分３１において、前記ラグ３０，３０Ａは、最終的に、例えば溶接及び生成ラインに沿って挿入され、これにより輪郭材１０は、ラグ３０，３０Ａが設けられた連結部分３１に挿入されている端部３４Ａ，３４Ｂの１つ又はいくつかの輪郭材の長さ１０Ａ，１０Ｂによって定められる。連結部分３１と長さ１０Ａ，１０Ｂの輪郭材と間の実際の結合は、例えばピン３５によってなされる。加えて、長さ１０Ａ，１０Ｂの輪郭材のこれらの端部３４Ａ，３４Ｂは、有利にはラグ３０，３０Ａを通すために、軸方向に切れ目が設けられ、こうして、２つの長さ１０Ａ，１０Ｂの輪郭材の連結の高さで、完全な連続性が保証できる。
【００２７】
最後に、これらの輪郭材の長さは、斜めの桁及び／又は横桁の長手方向の桁への結合間の距離に一致した長さである。事実、この長さは、モジュールＭ，Ｍ１，Ｍ２，Ｍ３又はＭ′の長さに実質的に等しい。
【００２８】
特に図５に示されるように、場合によっては、斜めの桁９，９Ａ，９Ｂ，９Ｃの端部１６又は横桁８に対応する端部１６Ａを受け入れるそのような手段は、輪郭材１０の周囲で半径方向に延びている１つ又はいくつかの翼部１９，１９Ａ及び／又は翼部長さの形をしている。
溝１１Ａ，１１Ｂに対して同じように、場合によっては斜めの桁９，９Ａ，９Ｂ，９Ｃ又は横桁８の端部１６，１６Ａを受け入れるそのような手段は、輪郭材１０のまわりの垂直対称平面１７に対して、対称的な形状を採用している。
【００２９】
即ち断熱のために、対の曲率をもつカバー７を２重にし、それにより建造物１のカバーと内部部分との間での断熱空気クッションの境界を定めることが、便利である。結局、輪郭材１０は、２つの並置された基本構造体４の内張りした粗い布に対応する保持帯材を受け入れるための溝１１Ａ，１１Ｂよりも、実質的により低い高さで配置された第２の組の溝２０Ａ，２０Ｂを受け入れている。
【００３０】
基本構造体４の高さで張られる対の曲率をもつカバー７の２つの実施の形態を示している図２〜４に見られるように、長手方向の桁５，６は、実際問題として、対の曲率をもつこれらのカバー７によって定められている屋根の低い部分を形成している。そのような状況の下では、それらは、流動水を集め、その排出が保証されなければならない。
【００３１】
そのために第１の実施の形態では、この長手方向の梁５，６を定めている輪郭材１０又は一様な長さの輪郭材１０Ａ，１０Ｂは、円筒型であると予測されており、その内部は、流動水を集め、排水することができる樋を形成している。
【００３２】
しかしながらそのような実施の形態は、建造される建造物１の大きさに合わせて長くされた基本構造体を作るために、互いに連続した結合された２つの輪郭材１０又は長さ１０Ａ，１０Ｂの輪郭材間を緊結するという問題が生じている。そのような緊結は技術的には実行可能であるが、それは、建造物の連続した設置と解体の間にすぐに悪くなるシールの使用を、しばしばもたらす。この点で、この種の建造物１の大きさのために、長手方向の桁５，６に流動水の排出を容易にするための傾斜を与えることが、困難或いは不可能でさえあることを特に考慮すべきである。
【００３３】
それ故にこれらの長手方向の桁５，６が、流動水のための排出樋の役目を更に効果的に果たすことができる第２の実施の形態が工夫されている。この第２の形態によれば、前記輪郭材１０又は長さ１０Ａ，１０Ｂの輪郭材は、直接に又はラグ２１Ａ，２１Ｂを通っていて、第３番目の組の溝２２Ａ，２２Ｂが設けられており、この溝は、そのような輪郭材１０の下で、即ち長手方向の桁５，６の下で、樋の形で延在することができる防水の粗い布２３の保持帯材を受け入れている。
【００３４】
その端部で溝２２Ａ，２２Ｂを支えている連結ラグ２１Ａ，２１Ｂは、前記樋状の粗い布２３が、カバー７から来る全ての流動水を集めることができるように、これらの長手方向の桁５，６の下で完全に延在していることがわかる。
【００３５】
斜めの桁によって定められた大梁Ｆ１，Ｆ２の頂部Ｓの高さで、又は特にピラミッド形のモジュールＭ，Ｍ１，Ｍ２，Ｍ３に対応している頂部２４の高さでの連結節の使用を避けるために、基本構造体４は、好ましくは少なくとも第３の長手方向の桁２５を含んでおり、これはまた、それらの固定のために斜めの桁９，９Ａ，９Ｂ，９Ｃ（図８を参照）を受け入れる手段１５を含んでいる輪郭材１０′によって定められている。この長手方向の桁２５は、大梁Ｆ１，Ｆ２の頂部Ｓ、又は１つ及び同様の基本構造体４又はいくつかの並置された基本構造体に対応しているいくつかのモジュールＭ，Ｍ１，Ｍ２，Ｍ３の頂部２４を、こうして互いに結合している。ここでもまた、そのような長手方向の桁２５が、２つずつこれらの長手方向の桁２５に連結することができるように、横桁８Ａを受け入れる手段が設けられている。
【００３６】
そのような長手方向の桁２５は、溝がないが、１つ又はいくつかの溝を設けるのを妨げるものは何もなく、これは、長手方向の桁５，６を定めている輪郭材１０又は長さ１０Ａ，１０Ｂの輪郭材に対しても同様である。そのような溝は、即ち粗い布の保持帯材を受け入れることができ、特にほこり、例えば葉、からカバーを保護するため又は陽光遮蔽物を作るために、対の曲率をもつカバーの上方に、ある方法で拡げられている網を受け入れることができる。
【００３７】
図８に示されるように、そのような長手方向の桁２５を定めている輪郭材１０′は、より低い部分で、１つ又はいくつかの摺動体３９（概略で示されている）を受け入れるレール３７の形にされており、この摺動体は、対の曲率をもつカバー７を緊張させる１つ又はいくつかのケーブル３８に取り付けられている。こうして、基本構造体４の長手方向の桁５，６の溝１１Ａ，１１Ｂに、対の曲率をもつカバーの保持帯材１２を挿入することによって、緊張用ケーブルに結合されている摺動体３９が、同時に長手方向の桁２５に係合される。
【００３８】
【発明の効果】
前述の記載から、これらの建造物の設置と解体とがかなり容易に行えることが明らかであり、更に対の曲率をもつカバーの設営が非常に簡単に行えるのに対して、その緊張が実質的に唯１つの方向で働かされたけん引によって生じることがわかる。勿論、特に様々の面倒なひもで縛る（レーシング）作業が、さらに避けられる。
【００３９】
最後に、本発明によるそのような建造物１は、規格部品の使用によって高度なモジュール化を立証しており、そのうえさらにしばしば特に高価な部品に相当する連結節を省略することができる。そのような連結節は、それらを製作するには、多くの溶接や、深絞り加工や機械加工及びこの場合に特に道理にかなっている同様の作業を必要とする。
【００４０】
加えて、本発明は、多大の利益に相当する３次元の枠組みと可撓性カバーとをもつこの種の建造物の緊結の問題を巧妙に解決している。
【図面の簡単な説明】
【図１】図１は、本発明による建造物の概略斜視図である。
【図２】図２は、基本構造体のモジュールの実施の形態である。
【図３】図３は、図２と同様の図で、基本構造体を張る、対の曲率をもつカバーに関する別の実施の形態を示している。
【図４】図４は、その頂部で結合された２つの大梁を含むモジュールの別の実施の形態を示している。
【図５】図５は、長手方向の桁を定めるための実施の形態の輪郭材の概略断面図である。
【図６】図６は、図５と同様の図で、固定のために斜めの桁及び／又は横桁の端部を受け入れる手段と同様に、そのような輪郭材の別の実施の形態を示している。
【図７】図７は、図５に示されるように斜めの桁及び／又は横桁を受け入れるこれらの手段の側面図である。
【図８】図８は、基本構造体の第３の長手方向の桁を定めることができ、かついくつかの大梁又はピラミッド形モジュールのどちらかの頂部を結合することができる輪郭材の断面図である。
【符号の説明】
１…建造物
２…屋根
３…枠組み
４…基本構造体
５，６…長手方向の桁
７…カバー
８…横桁
９，９Ａ，９Ｂ，９Ｃ…斜めの桁
１０，１０′，１０Ａ，１０Ｂ…輪郭材
１１Ａ，１１Ｂ，２０Ａ，２０Ｂ，２２Ａ，２２Ｂ…溝
３０，３０Ａ…ラグ
Ｆ１，Ｆ２…大梁
Ｍ，Ｍ１，Ｍ２，Ｍ３…モジュール
【図１】
0004098418.tif 000002
【図２】
0004098418.tif 000003
【図３】
0004098418.tif 000004
【図４】
0004098418.tif 000005
【図５】
0004098418.tif 000006
【図６】
0004098418.tif 000007
【図７】
0004098418.tif 000008
【図８】
0004098418.tif 000009